(57)【要約】【課題】テレビジョン放送視聴機能を有する携帯端末において、アンテナを良好な位置に配置する。【解決手段】表示部を有する第１の筐体１１０と、操作部１２１を有する第２の筐体１２０と、第１の筐体１１０の表示部１１１を外側に向けた状態で第１の筐体１１０を第２の筐体１２０に折り畳み可能とするヒンジ部とを備える携帯端末として構成する。テレビジョン放送局からの電波を受信するアンテナ１２２と、アンテナ１２２が受信した電波から特定のチャンネルの放送信号を得るチューナと、チューナで受信するチャンネルの選択などを行うテレビジョン操作部１２３を第２の筐体１２０の側面に設ける。そして、アンテナ１２２を、支点を中心に開閉可能な状態で、テレビジョン操作部１２３の上に設置するようにした。【選択図】図１
2008066997.tif 000002
【特許請求の範囲】
【請求項１】
表示部を有する第１の筐体と、操作部を有する第２の筐体と、前記第１の筐体の該表示部を外側に向けた状態で前記第１の筐体を前記第２の筐体に折り畳み可能とするヒンジ部とを備える携帯端末において、
テレビジョン放送局からの電波を受信するアンテナと、
前記アンテナが受信した電波から特定のチャンネルの放送信号を得るチューナと、
前記第２の筐体の側面に設けられ、少なくとも、前記チューナの受信操作を行うテレビジョン操作部とを備え、
前記アンテナは、支点を中心に開閉可能で、前記テレビジョン操作部の上に設置されることを特徴とする
携帯端末。
【請求項２】
請求項１記載の携帯端末において、
前記アンテナは、閉じた状態において前記第２の筐体と一体化する形状であることを特徴とする
携帯端末。
【請求項３】
請求項１記載の携帯端末において、
前記ヒンジ部は、前記第１の筐体と前記第２の筐体とを折り畳み可能とする第１の連結部と、第１の筐体を前記第１の筐体の長手方向の中心軸を中心に回転可能とする第２の連結部とで構成されることを特徴とする
携帯端末。
【請求項４】
請求項１記載の携帯端末において、
前記第１の筐体の表示部は、無線電話用の表示部であり、前記第２の筐体の操作部は、無線電話用の操作部であり、携帯電話端末として構成されることを特徴とする
携帯端末。
【発明の詳細な説明】
【技術分野】
【０００１】
本発明は、例えば携帯電話端末に適用して好適な携帯端末に関し、特にテレビジョン放送受信機能を有する携帯端末に関する。
【背景技術】
【０００２】
一般に、テレビジョン放送受信機能を備える携帯電話端末においては、テレビジョン放送信号受信用にアンテナを設けてある。アンテナとしては伸縮式のホイップアンテナを用いることが多いが、比較的大きな形状であるため、不使用時に邪魔にならないよう、可倒式としたり、アンテナの先端部以外の部分を筐体やヒンジ部などに収納できるようにする等の工夫がされている。
【０００３】
また、テレビジョン放送視聴には、チャンネルの指定や音量の調整等を行う操作キーが必要となるが、これらの操作キーは、テレビジョン放送視聴時に操作しやすい位置に配置されることが望ましい。近年普及してきている、表示部を外側に向けて第１の筐体と第２の筐体とを折り畳める形態の携帯電話端末においては、表示部を横にして外側に向けた上で第１の筐体と第２の筐体を折り畳んだ形態でテレビジョン放送を視聴することが良く行われるが、この状態では、操作キーを配置するスペースも限られてくる。このため、このような形状の携帯電話端末では、テレビジョン操作用の操作キーは、表示部と同一面もしくは筐体の側面等に配置されることが多い。
【０００４】
特許文献１には、表示部を外側にして重ねた折り畳み状態でもテレビジョンの操作を可能にしたことについての開示がある。
【特許文献１】特開２００６−０５００５７号公報
【発明の開示】
【発明が解決しようとする課題】
【０００５】
ところで、表示部を外側に向けて第１の筐体と第２の筐体とを折り畳める形態の携帯電話端末において、チャンネルの指定や音量の調整等を行う操作キーが表示部と同一面又は筐体の側面に設けられている場合は、操作キー配置場所がユーザの手に触れる範囲にあるため、テレビジョン放送視聴時以外に、操作キー押下等の誤操作が発生する可能性が増えてしまうという問題があった。
【０００６】
また、近年の携帯電話端末は、テレビジョン放送受信機能以外にも、カメラ機能や音楽再生機能等の様々な機能を備えたものが増えてきているが、表示部を外側に向けて第１の筐体と第２の筐体とを折り畳める形態の携帯電話端末においては、テレビジョン操作用の操作キーを設ける位置が限定されてしまうため、このことがデザイン上の制約につながったり、携帯電話端末小型化への障壁となってしまうといった問題があった。
【０００７】
本発明はかかる点に鑑みてなされたものであり、テレビジョン放送視聴機能を有する携帯端末において、テレビジョン放送受信用のアンテナを適切な位置に配置して、誤操作の発生を防ぐことを目的とする。
【課題を解決するための手段】
【０００８】
本発明は、表示部を有する第１の筐体と、操作部を有する第２の筐体と、第１の筐体の表示部を外側に向けた状態で第１の筐体を第２の筐体に折り畳み可能とするヒンジ部とを備える携帯端末に適用する。テレビジョン放送局からの電波を受信するアンテナと、アンテナが受信した電波から特定のチャンネルの放送信号を得るチューナと、チューナの受信操作を行うテレビジョン操作部を第２の筐体の側面に設け、アンテナを、支点を中心に開閉可能な状態で、テレビジョン操作部の上に設置するようにしたものである。
【０００９】
このようにしたことで、アンテナを開いた状態ではチャンネルの選択を行うキーを含むテレビジョン操作部が筐体の表面に現れ、アンテナを閉じた状態ではチャンネルの選択を行うキーを含むテレビジョン操作部がアンテナの下に格納される。
【発明の効果】
【００１０】
本発明によると、テレビジョン放送視聴を行わない時には、アンテナを閉じておけばテレビジョンの操作に関する操作キーが筐体の表面上に出なくなるため、誤操作を防ぐことができる。
【００１１】
この場合、筐体の表面に配置されるキーの数が少なくなるため、キー配置の設計自由度が向上する。
【発明を実施するための最良の形態】
【００１２】
以下、本発明の一実施の形態を、図１〜図６を参照して説明する。
【００１３】
本実施の形態例においては、テレビジョン放送受信機能を備えた携帯電話端末に適用したものである。まず、本例の携帯電話端末の全体構成を、図２〜図４を参照して説明する。図２〜図４に示した本例の携帯電話端末１００は、折り畳み型の携帯電話端末として構成してある。図２は開いた状態を示してあり、図３は筐体の回動状態を示してあり、図４は閉じた状態を示してある。
【００１４】
図２を参照して、携帯電話端末１００の開いた状態を基に説明すると、携帯電話端末１００は、それぞれがほぼ細長い形状の第１の筐体１１０と第２の筐体１２０とが、ヒンジ部１３０を介して回動可能な状態で接続してある。ヒンジ部１３０は、図２にθ１として示した回動方向に第１の筐体１１０及び第２の筐体１２０を回動させることが可能な第１の回転軸１３１ａと、θ２として示した回動方向に第１の筐体１１０を回動させることが可能な第２の回転軸１３２ａとを備えた２軸ヒンジである。第１の回動軸１３１ａと第２の回転軸１３２ａとは直交する方向である。ヒンジ部１３０の構成の詳細については後述する。
【００１５】
図２において、第１の筐体１１０には、液晶表示パネルなどで構成される表示部１１１が配置してあると共に、上端に図示せぬスピーカが配置してある。表示部１１１には、電話としての使用時においては電話番号、メールとしての使用時には送受信するメール文等が表示され、テレビジョン放送を受信時にはテレビジョン放送の映像が表示される。なお、表示部１１１に表示されるテレビジョン放送の映像は、図２に示されるように表示部１１１が縦長な状態においては縦長に表示され、図１に示されるように表示部１１１が横長な状態においては横長に表示されるようにしてある。
【００１６】
第２の筐体１２０には、数字などのダイヤルキーや各種機能キーで構成される操作部１２１が配置してあると共に、下端には図示せぬマイクロフォンが配置してある。また、第２の筐体１２０の右端には、テレビジョン放送受信用のアンテナ１２２が設置してあり、アンテナ１２２の下には、テレビジョン放送のチャンネル指定キーや音量調整キー等のテレビジョン操作部（図示せず）と、テレビジョン放送の音声を出力するスピーカ等（図示せず）が配置してある。アンテナ１２２やテレビジョン操作部の配置、アンテナ１２２の形状の詳細については後述する。
【００１７】
図４（ａ）は、本例の携帯電話端末１００を閉じた状態の例を示した図である。図４（ａ）に示すように、閉じた状態では、図２に示した第１の筐体１１０に設けられた表示部１１１や、第２の筐体１２０に設けられた操作部１２１などは内側に収納された状態となる。また、アンテナ１２２は、第２の筐体１２２の一部として所定の位置に格納されている。第１の筐体１１０の側面と第２の筐体１２０の側面には、それぞれθ４とθ５として示される角度を設けてある。θ４とθ５は、例えば２０°等の角度であるものする。各筐体の側面に設けた傾斜角については、後述する。
【００１８】
図３は、第１の筐体１１０がヒンジ部１３０を介して回動した状態の例を示した図である。表示部１１１を備えた第１の筐体１１０は、ヒンジ部１３０の第２の回転軸１３２ａを中心にθ２の回動方向に回動可能な構成としてあり、図３では、回転軸１３２ａを中心に、第１の筐体１１０が所定の角度だけ回動している様子を示してある。第１の筐体１１０は、ヒンジ部１３０の回転軸１３２を中心に１８０°回転させることが可能であり、第１の筐体１１０を１８０°回転させた状態で、ヒンジ部１３０の第１の連結部の回転軸１３１ａを中心に第２の筐体１２０側に倒すと、表示部１１１が外側を向いた状態で第１の筐体１１０と第２の筐体１２０とを折り畳むことができる。
【００１９】
このような状態で第１の筐体１１０と第２の筐体１２０とを折り畳んだ例を、図４（ｂ）に示してある。図４（ｂ）においては、第１の筐体１１０に設けられた表示部１１１が外側に向けられた状態で、第１の筐体１１０と第２の筐体１２０とが折り畳まれている様子が示されている。
【００２０】
次に、図５を参照して、本例の携帯電話端末１００のヒンジ部１３０の構成の詳細について説明する。図５は、第１の筐体１１０と第２の筐体１２０とを連結するヒンジ部１３０の構成の例を示した図である。図５において、第１の連結部１３１は、回転軸１３１ａを中心に、第１の筐体１１０と第２の筐体１２０とをθ１方向に回動可能な状態で連結してある。第２の連結部１３２は、回転軸１３２ａを中心として第１の筐体１１０がθ２方向に回動可能な状態で、第１の筐体１１０と第２の筐体１２０とを、連結してある。
【００２１】
次に、アンテナ１２２やテレビジョン操作部の詳細について、図１を参照して説明する。図１は、第１の筐体１１０の表示部１１１が外側に向けられた状態で、第１の筐体１１０と第２の筐体１２０とを折り畳んだ携帯電話端末１００を、筐体の長手側の側面Ｓ１及びＳ４を下にして机等の上に配置した例を示す図である。第２の筐体１２０の側面Ｓ５には、図１においてθ３として示された角度の分だけ傾斜をつけてあり、側面Ｓ５上に、テレビジョン放送のチャンネル指定キーや音声調整キー等で構成されるテレビジョン操作部１２３と、テレビジョン放送の音声を出力するテレビジョン用スピーカ（図示せず）等を配置してある。
【００２２】
アンテナ１２２は、第２の筐体１２０の側面に取り付けてあり、伸縮式アンテナであると同時に、支点Ｂ１を中心に回動可能な可倒式アンテナである。アンテナ１２２を倒して第２の筐体１２０に収納した状態を閉状態、アンテナ１２２を立てて第２の筐体１２０から離した状態を開状態とすると、アンテナ１２２は、閉状態においてテレビジョン操作部１２３を隠すと共に、第２の筐体１２０と一体化するような形状としてある。つまり、アンテナ１２２の形状としては、テレビジョン操作部１２３が設けられた側面Ｓ５に対応する面と、操作部１２１が設けられた操作面に対応する面と、第２の筐体の本来の側面Ｓ３に対応する面の３面を有した、ほぼ三角形の形状としてある。なお本例では、テレビジョン操作部１２３が設けられた側面Ｓ５の傾斜角に対応させて、アンテナ１２２を三角形の形状としたが、テレビジョン１２３が設けられた側面Ｓ５の形状に合う形状であれば、四角形等他の形状であってもよい。
【００２３】
次に、図６を参照して、本例の携帯電話端末１００の内部構成例について説明する。本例の携帯電話端末１００は、無線電話用の基地局と無線通信を行うための無線電話通信用アンテナ１１を備え、そのアンテナ１１が無線電話通信用の通信部１２に接続してあり、制御部１３の制御で、基地局との間で無線通信を行うようにしてある。通信部１２で通話用の通信を行う際には、受信した音声データをスピーカ１７に供給して出力させる。このスピーカ１７から出力させる際には、音声処理部１９でスピーカ出力用の処理が行われる。また、マイクロフォン１３が拾って得た音声データを、通信部１２に供給して送信させる。この送信時にも、音声処理部１９でマイクロフォン１８の出力を送信用の音声データとする音声処理が行われる。音声処理部１９には、後述するテレビジョン放送の音声を出力するテレビジョン用スピーカ２３も接続してある。表示部１１１と操作部１２１については、図２の構成例を参照に説明済みであるため、ここでは説明を省略する。
【００２４】
これらの携帯電話端末１００内の各ブロックは、制御ライン２５を介して制御部１３などと接続してある。またデータライン２６を介してデータ転送を行える構成としてあり、メモリ１６に必要なデータを記憶させるようにしてある。メモリ１６は、ＲＯＭ（Read Only Memory）やＲＡＭ（Random Access Memory）等で構成され、制御部１３が各部を制御するための制御プログラムや各種の初期設定値を記憶してある他、制御部１３が各種のデータ処理を行う際の作業領域としても使われる。なお、メモリ１６とは別に、大容量のデータ記憶手段であるハードディスクドライブ装置などを備えて、記憶手段の一部として使用されるようにしてもよい。
【００２５】
制御部１３は、例えばＣＰＵ（Central Processing Unit）等の演算制御装置（プロセッサ）からなり、メモリ１６に記録されている各コンピュータ・プログラムに従い、各種処理のための作業領域としてメモリ１６使用しながら所定の処理を実行し、携帯電話端末１００内の各部の制御を行う。
【００２６】
また、本例の携帯電話端末１００は、テレビジョン放送局からの電波を受信するアンテナ１２２と、アンテナ１２２が得た電波から特定のチャンネルの放送信号を得るチューナ２１を備え、テレビジョン放送を受信可能な構成としてある。チューナ２１では、テレビジョン操作部１２３からの操作入力に応じて制御部１３で生成される指令に基づき、チャンネルを選局する。チューナ２１で得られた放送信号は復調部２２で復調され、映像信号及び音声信号とされる。
【００２７】
復調部２２で得られた音声信号は、音声処理部１９に供給され、音声処理部１９でスピーカ出力用の処理が行われた後にテレビジョン用スピーカ２４から出力される。また、復調部２２で得られた映像信号は、画像処理部２３に供給され、画像処理部２３でホワイトバランス補正、ガンマ補正等の各種画像補正が施された上で、表示部１１１に表示される。なお、本例の携帯電話端末１００が受信するテレビジョン放送は、地上波アナログテレビジョン放送、ディジタルテレビジョン放送の何れであっても良いものとする。
【００２８】
このように、第２の筐体１２０と一体化する形状のアンテナ１２２を、支点Ｂ１を中心として開閉可能な形状で、テレビジョン操作部１２３の上に配置することで、テレビジョン放送を視聴しない時にはアンテナ１２２を倒すことでテレビジョン操作部１２３を筐体の表面に出さないようにすることができる。これにより、電話として使用する場合やメールの受信又は作成時等に、テレビジョン操作部１２３のキーを誤って押してしまうような誤操作が発生しなくなる。
【００２９】
また、アンテナ１２２を閉じた状態においては、テレビジョン操作部１２３はアンテナ１２２の下に格納されて筐体の表面に露出しなくなるため、筐体の露出面に配置されるキーの数が少なくなり、露出面に対するキー配置のデザイン的な設計自由度が向上する。
【００３０】
また、表示部１１１を表に出した状態で第１の筐体１１０と第２の筐体１２０とを折り畳んで、表示部１１１を横向きにしてテレビジョン放送を視聴する場合に、テレビジョン操作部が表示部１１１の上部に配置されるようになる。このため、テレビジョン視聴時にチャンネルを変更したり音量を変えたりといった操作を行うにあたって、第１の筐体１１０と第２の筐体１２０とを開いたり回転させるといった余計な操作を行う必要が無くなり、使い勝手が良くなる。
【００３１】
なお、ここまで説明した実施の形態では、棒状のアンテナ１２２をテレビジョン操作部１２３の上に配置する形態について説明したが、板状のアンテナを使用するようにしてもよい。図７に、板状のアンテナを使用した場合の説明図を示してある。図７では、携帯電話端末１００′の表示部１１１を横向きにして、筐体１１０′の長手側の側面を下にして配置した様子が示されている。
【００３２】
図７においては、テレビジョン放送受信用のアンテナとして、板状のアンテナ１２２′を用いてあり、板状のアンテナ１２２′は、図７において矢印で示された方向に開閉可能な状態で、筐体１１０′に取り付けてある。アンテナ１２２′を開くと、その下にテレビジョン操作部１２３′が現れるような構成としてあり、テレビジョン放送の視聴を行わないときには、アンテナ１２２′を閉じることにより、テレビジョン操作部１２３′が隠れるようになる。このため、電話として使用している際やメール作成時等に、誤ってテレビジョン操作部１２３′の操作キーを押下してしまうような誤操作を防ぐことができる。
【００３３】
この場合、図示はしていないが、アンテナ１２２′の裏面に数字キー等の操作部を配置してあり、アンテナ１２２′を閉じた状態で、携帯電話端末１００′の通常の操作を行えるようにしてある。なお、板状のアンテナ１２２′は、図７に示されたような回転軸を中心に回動可能とした構成に限らず、上下方向にスライド可能な構成としてもよい。このように構成することで、スライドの上下によってテレビジョン操作部１２３′の開閉を行うことができるようになる。このとき、アンテナ１２２′の表面に、通常の操作を行う操作部を設けるようにすれば、テレビジョン放送を視聴しない時には板状のアンテナ１２２′をスライドさせて閉じることで、数字キー等の通常の操作キーを使用することが可能となる。
【００３４】
また、ここまで説明した実施の形態では、アンテナ及びテレビジョン操作部を、操作部を有する第２の筐体の側面に設ける構成として説明したが、表示部を備えた第１の筐体の側面に設けるようにしてもよい。
【００３５】
また、ここまで説明した実施の形態では、互いに直交する２つの軸を備えたヒンジを介して、第１の筐体と第２の筐体とが回動又は開閉可能な構成とされた携帯電話端末に適用した例を説明したが、第１の筐体と第２の筐体とが長手方向にスライドすることにより開閉される形状の携帯電話端末や、表示部を備えた第１の筐体が、第２の筐体に対して水平方向に３６０°回転可能な形状の携帯電話端末等に適用してもよい。
【００３６】
また、ここまで説明した実施の形態では、テレビジョン放送受信機能を有する携帯電話端末に適用した例を説明したが、テレビジョン放送受信機能を有するその他の各種電子機器であれば、ＰＤＡ（Personal Digital Assistants）や携帯ゲーム機等にも適用可能である。
【図面の簡単な説明】
【００３７】
【図１】本発明の一実施の形態による携帯電話端末の設置例を示す斜視図である。
【図２】本発明の一実施の形態による携帯電話端末の開いた状態の例を示す斜視図である。
【図３】本発明の一実施の形態による携帯電話端末の筐体の回動状態の例を示す斜視図である。
【図４】本発明の一実施の形態による携帯電話端末の閉じた状態の例を示す斜視図である。
【図５】本発明の一実施の形態による携帯電話端末のヒンジ部の構成例を示す斜視図である。
【図６】本発明の一実施の形態による携帯電話端末の内部構成例を示すブロック図である。
【図７】本発明の他の形態による携帯電話端末の設置例を示す斜視図である。
【符号の説明】
【００３８】
１００…携帯電話端末、１１０…第１の筐体、１１１…表示部、１２０…第２の筐体、１２１…操作部、１２２…テレビジョン操作部、１２３…テレビジョン放送受信用アンテナ、１３０…ヒンジ部
【図１】
2008066997.tif 000003
【図２】
2008066997.tif 000004
【図３】
2008066997.tif 000005
【図４】
2008066997.tif 000006
【図５】
2008066997.tif 000007
【図６】
2008066997.tif 000008
【図７】
2008066997.tif 000009